(57)【要約】【課題】空気の流量を調整できると共に、空気が流れる方向を調整できるようにする。【解決手段】冷気流路５と、上部冷蔵室１５及び下部冷蔵室１７とを隔てる冷気ダクト３にルーバ２７が設けられ、ルーバ２７によって冷気流路５と、上部冷蔵室１５及び下部冷蔵室１７との間で冷気の流れを調整する。ルーバ２７は、冷気ダクト３に取り付けられる環状のフレーム部材２９と、フレーム部材２９に取り付けられる複数の羽板３１とを有する。ルーバ２７は、複数の羽板３１がフレーム部材２９に対して揺動回転することで、冷気が流れる流路の断面積を可変とすると共に、フレーム部材２９と複数の羽板３１とが一体となって冷気ダクト３に対して回転することで、冷気が流れる方向を可変とする。【選択図】図５
2019173982.tif 000002
【特許請求の範囲】
【請求項１】
第１の領域と第２の領域とを隔てる隔壁にルーバが設けられ、前記ルーバによって前記第１の領域と前記第２の領域との間で空気の流れを調整する空気流調整装置であって、
前記ルーバは、前記隔壁に取り付けられる環状のフレーム部材と、前記フレーム部材に取り付けられる複数の羽板と、を有し、
前記ルーバは、前記複数の羽板が前記フレーム部材に対して揺動回転することで、前記空気が流れる流路の断面積を可変とすると共に、前記フレーム部材と前記複数の羽板とが一体となって前記隔壁に対して回転することで、前記流路における空気が流れる方向を可変とすることを特徴とする空気流調整装置。
【請求項２】
前記フレーム部材は、前記複数の羽板を間にして互いに重ね合わされた状態で、前記隔壁に対して一体となって回転自在かつ、相対回転自在な第1のフレーム及び第２のフレームを備え、
前記複数の羽板は、前記第1のフレームに支持された状態で前記第２のフレームにギヤ結合し、ギヤ結合した前記第２のフレームの前記第１のフレームに対する相対回転によって、前記複数の羽板は前記第１のフレームに対して揺動回転することを特徴とする請求項１に記載の空気流調整装置。
【請求項３】
前記複数の羽板は、前記第１のフレームに揺動回転自在に軸支され、端部に設けられた円形のギヤが、前記第２のフレームの回転方向に沿って設けられたギヤ部に噛み合っていることを特徴とする請求項２に記載の空気流調整装置。
【請求項４】
前記複数の羽板は、連結部材によって互いに連結されていることを特徴とする請求項１に記載の空気流調整装置。
【請求項５】
前記第１の領域は、冷蔵庫の貯蔵室に冷気を送り込む冷気流路であり、前記第２の領域は、前記貯蔵室であることを特徴とする請求項１ないし４のいずれか1項に記載の空気流調整装置。
【請求項６】
前記第１の領域は、冷蔵庫の圧縮機が収容された機械室であり、前記第２の領域は、前記機械室と前記隔壁を介して隔てられた前記冷蔵庫の外部であることを特徴とする請求項１ないし４のいずれか1項に記載の空気流調整装置。
【発明の詳細な説明】
【技術分野】
【０００１】
本発明は、第１の領域と第２の領域との間で空気の流れを調整する空気流調整装置に関する。
【背景技術】
【０００２】
冷却器収納室内の冷気を、ファン及びモータによって冷蔵室や冷凍室に送り込む際に、冷却器収納室と、冷蔵室や冷凍室との間に、ルーバを設けた技術が知られている（特許文献１参照）。ルーバは、通常時は閉じているが、ファン及びモータを備える電動送風機が駆動して風圧を受けることで開放する。
【先行技術文献】
【特許文献】
【０００３】
【特許文献１】実開昭５８−９８５８０号公報
【発明の概要】
【発明が解決しようとする課題】
【０００４】
しかしながら、上記した従来のルーバは、開閉することで冷気の流量を調整できるが、冷気が流れる方向についての調整は充分ではない。
【０００５】
そこで本発明は、空気の流量を調整できるとともに、空気が流れる方向を充分に調整できるようにすることを目的としている。
【課題を解決するための手段】
【０００６】
本発明の実施の形態は、第１の領域と第２の領域とを隔てる隔壁にルーバが設けられ、前記ルーバによって前記第１の領域と前記第２の領域との間で空気の流れを調整する空気流調整装置である。前記ルーバは、前記隔壁に取り付けられる環状のフレーム部材と、前記フレーム部材に取り付けられる複数の羽板と、を有する。前記ルーバは、前記複数の羽板が前記フレーム部材に対して揺動回転することで、前記空気が流れる流路の断面積を可変とすると共に、前記フレーム部材と前記複数の羽板とが一体となって前記隔壁に対して回転することで、前記流路における空気が流れる方向を可変とする。
【図面の簡単な説明】
【０００７】
【図１】本発明の第１の実施形態に係わるルーバを備える冷蔵庫の貯蔵室内を示す正面図である。
【図２】図１の簡略化したＡ−Ａ断面図である。
【図３】図１に示されるルーバの斜視図である。
【図４】図３に示されるルーバの分解斜視図である。
【図５】図４とは反対側から見たルーバの分解斜視図である。
【図６】図３のＢ−Ｂ断面図である。
【図７】図３に示されるルーバをほぼ全閉状態としたときの正面図である。
【図８】図７の状態から貯蔵室側フレームを回転させて羽板の開度を増大させた状態を示す動作説明図である。
【図９】図８の状態から冷気流路側フレームを回転させてルーバ全体を回転させた状態を示す動作説明図である。
【図１０】第２の実施形態によるルーバの正面図である。
【図１１】図１０のＣ−Ｃ断面図である。
【図１２】第３の実施形態によるルーバの斜視図である。
【図１３】図１２のルーバの裏側を示す斜視図である。
【図１４】図１２のＤ−Ｄ断面図である。
【発明を実施するための形態】
【０００８】
以下、本発明の実施の形態を図面に基づき説明する。
【０００９】
図１、図２に示すように、冷蔵庫１の上下方向のほぼ中央には、本発明の第１の実施形態に係わるルーバ２７が設けられている。ルーバ２７は、冷気ダクト３に取り付けられ、冷気ダクト３は内部が冷気流路５となっている。冷気流路５内の下部には、冷却器７やファン９を収納配置している。冷却器７は、圧縮機４９から供給される冷媒によって冷却される。冷却器７により冷却された冷気は、ファン９によって冷気流路５の上方に送られる。
【００１０】
図２に示すように、冷蔵庫１は、断熱構造を備える冷蔵庫本体１３内に、上段から下段に向けて、上部冷蔵室１５、下部冷蔵室１７及び冷凍室１９が、貯蔵室としてそれぞれ形成されている。上部冷蔵室１５と下部冷蔵室１７とは上部隔壁２１により区画され、下部冷蔵室１７と冷凍室１９とは下部隔壁２３により区画されている。
【００１１】
冷蔵庫本体１３は、上壁１３ａと、下壁１３ｂと、後壁１３ｃと、左右の側壁１３ｄ，１３ｅとを備え、後壁１３ｃと反対側の冷蔵庫前面側が開口している。後壁１３ｃと冷気ダクト３との間に、上記した冷気流路５が形成される。上部冷蔵室１５、下部冷蔵室１７及び冷凍室１９のそれぞれの後壁１３ｃと反対側の開口部１５ａ，１７ａ，１９ａは、図示しない開閉扉によってそれぞれ開閉される。
【００１２】
冷気流路５内の下端部には、前述した冷却器７が配置され、冷却器７の上方にファン９が位置している。冷気ダクト３の下端の冷却器７に対応する位置には下部開口穴３ａが形成され、下部開口穴３ａにダンパ２５が設けられている。ダンパ２５は、上端部を支点として上下方向に揺動することで下部開口穴３ａの開口面積を調整し、冷凍室１９への冷気の流入量を調整する。
【００１３】
冷気ダクト３の上端付近の上部隔壁２１に対応する位置には、上部開口穴３ｂが形成されている。上部開口穴３ｂは、ほぼ円形であり、上部隔壁２１は、上部開口穴３ｂの上下方向のほぼ中心に位置している。上部開口穴３ｂに、空気流調整装置を構成するルーバ２７を取り付けている。すなわち、冷気流路５と、上部冷蔵室１５及び下部冷蔵室１７とを隔てる隔壁としての冷気ダクト３に、ルーバ２７が取り付けられている。ルーバ２７と上部隔壁２１との間には、隙間２８が形成されている。冷気流路５は第１の領域を構成し、上部冷蔵室１５及び下部冷蔵室１７は第２の領域を構成している。
【００１４】
ルーバ２７は、図３〜図５に示すように、フレーム部材２９と複数の羽板３１とを備えている。フレーム部材２９は、上部冷蔵室１５及び下部冷蔵室１７側に位置する貯蔵室側フレーム３３と、冷気流路５側に位置する冷気流路側フレーム３５とを備えている。貯蔵室側フレーム３３及び冷気流路側フレーム３５は、いずれも環状に形成されている。冷気流路側フレーム３５は第１のフレームを構成し、貯蔵室側フレーム３３は第２のフレームを構成している。
【００１５】
貯蔵室側フレーム３３は、板状の環状部材であり、図５に示すように、冷気流路側フレーム３５に対向する面に、円周方向に沿ってギヤ部３３ａが形成されている。ギヤ部３３ａは、複数の羽板３１に設けてある後述するギヤ３７とで、ハイポイドギヤを構成する。
【００１６】
冷気流路側フレーム３５は、冷気流路５に面する環状の端板部３５ａと、端板部３５ａの外周側の縁部から貯蔵室側フレーム３３に向けて延出する外側筒部３５ｂと、端板部３５ａの内周側の縁部から貯蔵室側フレーム３３に向けて延出する内側筒部３５ｃとを備えている。冷気流路側フレーム３５の端板部３５ａと反対の貯蔵室側フレーム３３側は、図４及び、図３のＢ−Ｂ断面図である図６に示すように開口している。
【００１７】
図４に示すように、内側筒部３５ｃには、開口側の端部から端板部３５ａに向けて切り欠かれた羽板支持凹部３５ｄが形成されている。羽板支持凹部３５ｄは、図４中で上部に位置する五つの上側凹部３５ｄ１と、図４中で下部に位置する五つの下側凹部３５ｄ２とが、それぞれ上下で対を成している。上側凹部３５ｄ１と下側凹部３５ｄ２とで対をなすもの同士は、内側筒部３５ｃを同一直線状に貫通するように切り欠かれている。
【００１８】
複数の羽板３１は、ここでは互いに平行な状態で五つ設けてある。図４、図５に示すように、羽板３１の長手方向の両端部には、軸部３９，４１がそれぞれ設けられている。軸部３９，４１は、羽板３１の長手方向に沿って同軸上に形成され、かつ、羽板３１の幅方向のほぼ中央に取り付けられている。軸部３９，４１の羽板３１と反対側の端部には、前述したようにギヤ部３３ａとでハイポイドギヤを構成する円形のギヤ３７が取り付けられている。
【００１９】
図６に示すように、上部の軸部３９を上側凹部３５ｄ１に挿入し、同様にして下部の軸部４１を下側凹部３５ｄ２に挿入する。この状態で、貯蔵室側フレーム３３と冷気流路側フレーム３５とを互いに重ね合わせると、貯蔵室側フレーム３３のギヤ部３３ａと羽板３１のギヤ３７とが噛み合う。
【００２０】
図６に示すように、冷気流路側フレーム３５の外側筒部３５ｂは、端板部３５ａ側の厚肉部３５ｂ１と、端板部３５ａと反対側の薄肉部３５ｂ２とを備えており、薄肉部３５ｂ２の内側に貯蔵室側フレーム３３が位置する。このとき、冷気流路側フレーム３５には、図３、図４に示すように、係合爪３５ｅを円周方向等間隔に複数（ここでは三つ）形成している。係合爪３５ｅは、外側筒部３５ｂの端板部３５ａと反対側の端面の内周側に設けてあり、爪部３５ｅ１が冷気流路側フレーム３５の中心側に向けて突出している。
【００２１】
この場合、貯蔵室側フレーム３３と冷気流路側フレーム３５とを図３のように組付けたときに、係合爪３５ｅが貯蔵室側フレーム３３の外周側の縁部に係合する。係合した状態で、貯蔵室側フレーム３３を冷気流路側フレーム３５に対して回転させると、貯蔵室側フレーム３３は係合爪３５ｅに対して相対的に摺動しながら回転移動する。
【００２２】
ルーバ２７は、冷気流路側フレーム３５を、冷気ダクト３の上部開口穴３ｂに対し回転自在とした状態で、冷気ダクト３に取り付けられる。冷気流路側フレーム３５の上部開口穴３ｂに対する取付構造としては、例えば図２に示すように、冷気流路側フレーム３５の外径（直径）を上部開口穴３ｂの内径（直径）より大きくしたうえで、上部開口穴３ｂ周囲の上部冷蔵室１５及び下部冷蔵室１７側に筒状のフランジ３ｂ１を形成する。筒状のフランジ３ｂ１の内径（直径）は、冷気流路側フレーム３５の外径（直径）よりやや大きい。一方、図４に示すように、冷気流路側フレーム３５の外側筒部３５ｂの表面には、円周方向等間隔に複数（例えば三つ）の係合凸部３５ｆを形成し、係合凸部３５ｆが係合する環状の係合凹部（図示せず）をフランジ３ｂ１の内周面に全周にわたり形成する。
【００２３】
この状態で、ルーバ２７を、上部冷蔵室１５及び下部冷蔵室１７側から隙間２８を利用してフランジ３ｂ１の内側に挿入すると、係合凸部３５ｆがフランジ３ｂ１の係合凹部に移動自在に係合する。これにより、ルーバ２７は冷気ダクト３に対して回転自在に取り付けられる。このとき、冷気流路側フレーム３５の端板部３５ａは、上部開口穴３ｂ周縁の冷気ダクト３に対して離間した状態となる。ルーバ２７が冷気ダクト３に対して回転する際には、冷気流路側フレーム３５の外側筒部３５ｂがフランジ３ｂ１に対して摺動する。
【００２４】
図６に示すように、貯蔵室側フレーム３３の上部冷蔵室１５及び下部冷蔵室１７側（図６中で右側）に露出する面には、羽板揺動用ノブ４３を設けている。一方、冷気流路側フレーム３５における外側筒部３５ｂの端板部３５ａと反対側の端部には、フレーム回転用ノブ４５を設けている。羽板揺動用ノブ４３及びフレーム回転用ノブ４５は、いずれも上部冷蔵室１５及び下部冷蔵室１７側に突出している。
【００２５】
図７は、上部冷蔵室１５及び下部冷蔵室１７側から見たルーバ２７の正面図で、ルーバ２７はほぼ全閉状態である。ただし、羽板３１は、図７と図１との間で、ルーバ２７全体の冷気ダクト３に対する回転方向に沿って９０度変化している。図６においてもルーバ２７はほぼ全閉状態である。この状態から、羽板揺動用ノブ４３を上部冷蔵室１５あるいは下部冷蔵室１７側から掴んで、貯蔵室側フレーム３３を例えば矢印Ｒ方向に冷気流路側フレーム３５に対して相対回転させる。
【００２６】
このとき、貯蔵室側フレーム３３のギヤ部３３ａが羽板３１のギヤ３７に噛み合っているので、貯蔵室側フレーム３３のＲ方向の回転より、ギヤ３７が図６に示すように矢印Ｓ方向（図６中で上方から下方を見て右回り方向）に回転する。ギヤ３７の回転に伴って、複数の羽板３１も同方向に回転し、図８に示すように複数の羽板３１の開度が大きくなって、羽板３１相互間の隙間が大きくなる。これにより、ルーバ２７における冷気が流れる流路の断面積が大きくなる。
【００２７】
羽板３１は、図６、図７のほぼ全閉状態から半分程度（９０度程度）回転した位置で開度が最大となり、さらに同方向に回転することで、開度が徐々に小さくなり、複数の羽板３１相互間に形成される流路の断面積も小さくなる。この状態から、上記とは逆に、貯蔵室側フレーム３３を矢印Ｒと反対方向に回転させると、ギヤ３７が矢印Ｓとは反対方向に回転することになる。
【００２８】
このように、貯蔵室側フレーム３３を冷気流路側フレーム３５に対して相対回転させることで、複数の羽板３１の開度が変化し、ルーバ２７における冷気が流れる流路の断面積が変化する。これにより、ファン９から送出される冷気の上部冷蔵室１５及び下部冷蔵室１７への流量を調整することができる。
【００２９】
なお、貯蔵室側フレーム３３を冷気流路側フレーム３５に対して相対回転させるには、冷気流路側フレーム３５の冷気ダクト３に対する回転を抑える必要がある。そのためには、貯蔵室側フレーム３３の冷気流路側フレーム３５に対する回転時の抵抗力Ｌを、冷気流路側フレーム３５の冷気ダクト３に対する回転時の抵抗力Ｍよりも小さくすればよい（Ｌ＜Ｍ）。抵抗力Ｌは、貯蔵室側フレーム３３と冷気流路側フレーム３５との互いの摺動面での摩擦力や、ギヤの噛み合い部分の摩擦力を含む。抵抗力Ｍは、冷気流路側フレーム３５と冷気ダクト３との互いの摺動面での摩擦力を含む。
【００３０】
あるいは、上記の抵抗力を特に考慮しなくても、貯蔵室側フレーム３３を回転させる際に、冷気流路側フレーム３５を、例えばフレーム回転用ノブ４５を掴んで回転しないように押さえておけばよい。このことは、逆に言えば、貯蔵室側フレーム３３を押さえた状態で、冷気流路側フレーム３５を、フレーム回転用ノブ４５を掴んで回転させることによっても、羽板３１の開度を調整できることになる。ただし、このとき複数の羽板３１が、開度変化しながら、冷気流路側フレーム３５と一緒に回転することになり、後述するような冷気の流出方向も変化する。
【００３１】
上記した冷気の流出方向を変化させる場合には、冷気流路側フレーム３５を例えば図８の状態から、フレーム回転用ノブ４５を掴んで矢印Ｔ方向に回転させる。このとき、羽板３１は、軸部３９，４１を介して冷気流路側フレーム３５の羽板支持凹部３５ｄに支持されているので、冷気流路側フレーム３５と一体となって同方向に回転し、例えば図９に示す状態となる。この場合、複数の羽板３１相互間に形成される流路が、図８では上下方向に長い形状であったものが、図９では図８に対して斜め方向に長い形状となる。これにより、上記流路から上部冷蔵室１５及び下部冷蔵室１７に向けて流出する冷気の方向が変化する。
【００３２】
図２に示すように、上部隔壁２１がルーバ２７の上下方向ほぼ中央に位置している。このため、図１のように、複数の羽板３１相互間に形成される流路が左右方向に長い形状となっている場合には、上部冷蔵室１５と下部冷蔵室１７との間で流入する冷気の量を変化させることができる。例えば、図１の状態で、複数の羽板３１相互間に形成される流路の冷気流出方向を上方にすることで、上部冷蔵室１５に向けて流れる冷気の量が下部冷蔵室１７に向けて流れる冷気の量より多くなる。逆に、図１の状態で、複数の羽板３１相互間に形成される流路の冷気流出方向を下方にすることで、下部冷蔵室１７に向けて流れる冷気の量が上部冷蔵室１５に向けて流れる冷気の量より多くなる。
【００３３】
次に、本実施形態による作用効果を説明する。
【００３４】
（１）本実施形態は、冷気流路５と、上部冷蔵室１５及び下部冷蔵室１７とを隔てる冷気ダクト３にルーバ２７が設けられ、ルーバ２７によって冷気流路５と上部冷蔵室１５及び下部冷蔵室１７との間で空気の流れを調整する空気流調整装置である。ルーバ２７は、冷気ダクト３に取り付けられる環状のフレーム部材２９と、フレーム部材２９に取り付けられる複数の羽板３１と、を有する。ルーバ２７は、複数の羽板３１がフレーム部材２９に対して揺動回転することで、冷気が流れる流路の断面積を可変とすると共に、フレーム部材２９と複数の羽板３１とが一体となって冷気ダクト３に対して回転することで、前記流路における冷気が流れる方向を可変とする。
【００３５】
この場合、ルーバ２７を冷気ダクト３に設けることによって、上部冷蔵室１５及び下部冷蔵室１７に送り込む冷気の流量を調整できると共に、上部冷蔵室１５及び下部冷蔵室１７に対する冷気が流れる方向を調整できる。
【００３６】
（２）本実施形態のフレーム部材２９は、複数の羽板３１を間にして互いに重ね合わされた状態で、冷気ダクト３に対して一体となって回転自在かつ、相対回転自在な冷気流路側フレーム３５及び貯蔵室側フレーム３３を備える。複数の羽板３１は冷気流路側フレーム３５に支持された状態で貯蔵室側フレーム３３にギヤ結合し、ギヤ結合した貯蔵室側フレーム３３の冷気流路側フレーム３５に対する相対回転によって、複数の羽板３１は冷気流路側フレーム３５に対して揺動回転する。
【００３７】
この場合、貯蔵室側フレーム３３を冷気流路側フレーム３５に対して相対回転させることによって、貯蔵室側フレーム３３にギヤ結合した複数の羽板３１を、より確実かつ容易に揺動回転させて、羽板３１の開度を調整することができる。
【００３８】
（３）本実施形態の複数の羽板３１は、冷気流路側フレーム３５に揺動回転自在に軸支され、端部に設けられた円形のギヤ３７が、貯蔵室側フレーム３３の回転方向に沿って設けられたギヤ部３３ａに噛み合っている。この場合、ギヤ３７とギヤ部３３ａとの噛み合いにより、貯蔵室側フレーム３３の回転動力を複数の羽板３１の揺動回転力に、より確実に伝達することができる。
【００３９】
（４）本実施形態は、第１の領域が、冷蔵庫１の上部冷蔵室１５及び下部冷蔵室１７に冷気を送り込む冷気流路５であり、第２の領域が、上部冷蔵室１５及び下部冷蔵室１７である。この場合、冷気流路５から上部冷蔵室１５及び下部冷蔵室１７に向けて流れる冷気の流量及び方向を調整することができ、上部冷蔵室１５及び下部冷蔵室１７内の温度調整が容易にできる。
【００４０】
なお、上記した実施形態では、ルーバ２７を冷気ダクト３に取り付けた例を示しているが、図１、図２に示す冷蔵庫１において、圧縮機４９が収容された機械室５１の領域と、冷蔵庫１の外部の領域とを隔てる外板５３にルーバ２７を取り付けてもよい。この場合、ルーバ２７を操作する側の貯蔵室側フレーム３３が冷蔵庫１（機械室５１）の外部側に位置するように、ルーバ２７を外板５３に取り付ける。
【００４１】
この例では、機械室５１内の空気を、ルーバ２７を通して冷蔵庫１（機械室５１）の外部に放出する。その際、前述したように、貯蔵室側フレーム３３に対する操作に基づく複数の羽板３１の揺動回転によって、外部に放出する空気の量を調整でき、冷気流路側フレーム３５に対する操作に基づくルーバ２７全体の回転によって、外部に放出する空気の向きを調整できる。
【００４２】
図１０、図１１は、本発明の第２の実施形態に係わるルーバ２７０を示している。ルーバ２７０の図３〜図６に示したルーバ２７との違いは、貯蔵室側フレーム３３０を冷気流路側フレーム３５０に対して回転自在に取り付けるために、保持フレーム５４を別途設けている。貯蔵室側フレーム３３０と冷気流路側フレーム３５０と保持フレーム５４とで、フレーム部材２９０を構成している。
【００４３】
保持フレーム５４は、貯蔵室側フレーム３３０の直径方向の外周側に位置し、直径方向の内周面に貯蔵室側フレーム３３０に向けて突出する保持突起５４ａを、冷気流路側フレーム３５０と反対側の面に設けている。貯蔵室側フレーム３３０は、直径方向の外周面に保持フレーム５４に向けて突出する被保持突起３３０ｂを、冷気流路側フレーム３５０側の面に設けている。被保持突起３３０ｂの先端は、冷気流路側フレーム３５０の直径方向の外周側端部よりも内周側に位置している。冷気流路側フレーム３５０の外周側の保持フレーム５４近傍には、保持フレーム５４を固定するための嵌合固定爪３５０ａを複数（ここでは二つ）設けている。
【００４４】
この場合、貯蔵室側フレーム３３０と冷気流路側フレーム３５０とを互いに重ね合わせると、第１の実施形態と同様に、冷気流路側フレーム３５０に保持されている複数の羽板３１のギヤ３７が、貯蔵室側フレーム３３０のギヤ部３３０ａに噛み合う。この状態で、保持フレーム５４を貯蔵室側フレーム３３０の外周側で、冷気流路側フレーム３５０に重ね合わせると、係合固定爪３５０ａが保持フレーム５４の外周縁に引っ掛かるようにして係合固定される。
【００４５】
このとき、貯蔵室側フレーム３３０は、被保持突起３３０ｂが保持フレーム５４の保持突起５４ａと冷気流路側フレーム３５０との間に位置するので、冷気流路側フレーム３５０に保持された状態となる。係合固定爪３５０ａが保持フレーム５４に係合した状態では、被保持突起３３０ｂは保持突起５４ａと冷気流路側フレーム３５０との間で、円周方向に移動自在である。すなわち、図１１のように組付けた状態で、貯蔵室側フレーム３３０は、冷気流路側フレーム３５０及び保持フレーム５４に対して回転自在である。その他の主な構成は、第１の実施形態とほぼ同様であり、同様の構成要素には同一符号を付してある。
【００４６】
ルーバ２７０は、第１の実施形態と同様に、貯蔵室側フレーム３３０の羽板揺動用ノブ４３を掴んで貯蔵室側フレーム３３０を冷気流路側フレーム３５０に対して相対回転させることで、複数の羽板３１がギヤの噛み合いにより回転して開度が変化する。これにより、ルーバ２７０における冷気が流れる流路の断面積が変化し、ファン９から送出される冷気の上部冷蔵室１５及び下部冷蔵室１７への流量を調整することができる。
【００４７】
ルーバ２７０は、フレーム回転用ノブ４５を掴んでその全体を冷気ダクト３に対して回転させることで、冷気の流出方向を変化させることができる。ただし、ここでのフレーム回転用ノブ４５は、図１０に示すように保持フレーム５４の上部冷蔵室１５及び下部冷蔵室１７側に露出する面に設けている。
【００４８】
図１２〜図１４は第３の実施形態のルーバ５５を示す。ルーバ５５は、前述したルーバ２７と同様に、環状のフレーム部材５７と、複数の羽板５９とを備えている。フレーム部材５７は、上部冷蔵室１５及び下部冷蔵室１７側に位置する貯蔵室側フレーム６１と、冷気流路５側に位置する冷気流路側フレーム６３とを備えている。貯蔵室側フレーム６１と冷気流路側フレーム６３とは、例えば一方に設けた係合爪を他方に設けて係合孔に係合させて一体化してある。
【００４９】
フレーム部材５７は、第１の実施形態のフレーム部材２９と同様に、冷気ダクト３の上部開口穴３ｂに回転自在に取り付けられる。複数の羽板５９は、長手方向の両端部に軸部６５，６７を備えている。軸部６５，６７は、冷気流路側フレーム６３に形成した軸支持孔６８に回転自在に支持される。
【００５０】
複数の羽板５９は、図１３に示すように、羽板５９の冷気流路５側で連結部材６９により互いに連結されている。連結部材６９は、羽板５９の長手方向に直交する方向に長く形成されており、複数の羽板５９にそれぞれ固定してある連結片７１に揺動自在に連結されている。複数の羽板５９は、図１２に示すように、羽板５９の貯蔵室側フレーム６１側で中央に位置する羽板５９の表面の長手方向中央位置に、開度調整つまみ７３を備えている。
【００５１】
したがって、開度調整つまみ７３を図１２中で左右方向に移動するように操作することで、複数の羽板５９が一体となって軸部６５，６７を中心として揺動回転し、複数の羽板５９相互間に形成される流路の断面積が変化する。これにより、当該流路を流れる冷気の流量を調整することができる。
【００５２】
一方、貯蔵室側フレーム６１の表面には、フレーム回転用ノブ７５を設けている。したがって、フレーム回転用ノブ７５を掴んでフレーム部材５７を冷気ダクト３に対して回転させることで、複数の羽板５９も一体となって回転する。これにより、複数の羽板５９相互間に形成される流路から上部冷蔵室１５及び下部冷蔵室１７に向けて流れる冷気の向きを変化させることができる。
【００５３】
第３の実施形態は、複数の羽板５９が連結部材６９によって互いに連結されている。このため、開度調整つまみ７３を掴み、羽板５９の長手方向と直交する方向に移動させることで、複数の羽板５９の開度を容易に調整することができる。この場合、複数の羽板５９の開度を同時に調整するにあたり、連結部材６９を用いて複数の羽板５９を互いに連結すればよく、構成の簡素化を図ることができる。
【００５４】
以上、本発明の実施形態について説明したが、これらの実施形態は本発明の理解を容易にするために記載された単なる例示に過ぎず、本発明は当該実施形態に限定されるものではない。本発明の技術的範囲は、上記実施形態で開示した具体的な技術事項に限らず、そこから容易に導きうる様々な変形、変更、代替技術なども含む。
【００５５】
例えば、上記した実施形態では、ルーバ２７，２７０，５５を冷蔵庫に適用した例を示したが、隔壁を隔てて二つの領域相互間で空気の流通がなされるものであれば、冷蔵庫に限ることはない。
【符号の説明】
【００５６】
３  冷気ダクト（隔壁）
５  冷気流路（第１の領域）
１５  上部冷蔵室（第２の領域）
１７  下部冷蔵室（第２の領域）
２７，２７０，５５  ルーバ
２９，２９０，５７  フレーム部材
３１，５９  羽板
３３，３３０  貯蔵室側フレーム（第２のフレーム）
３３ａ  貯蔵室側フレームのギヤ部
３５，３５０  冷気流路側フレーム（第１のフレーム）
３７  ギヤ
５１  機械室（第１の領域）
６９  連結部材
【図１】
2019173982.tif 000003
【図２】
2019173982.tif 000004
【図３】
2019173982.tif 000005
【図４】
2019173982.tif 000006
【図５】
2019173982.tif 000007
【図６】
2019173982.tif 000008
【図７】
2019173982.tif 000009
【図８】
2019173982.tif 000010
【図９】
2019173982.tif 000011
【図１０】
2019173982.tif 000012
【図１１】
2019173982.tif 000013
【図１２】
2019173982.tif 000014
【図１３】
2019173982.tif 000015
【図１４】
2019173982.tif 000016